(57)【要約】    【課題】  長期繰り返し使用によっても悪臭、異臭の発生のない自立防臭機能付きヘルメットを提供する。    【解決手段】  ヘルメットを構成する部材の少なくとも一つに、放射線を放出するウラン系列核種及び／又はトリウム系列核種を含むセラミックパウダーを含有させるか、または前記セラミックパウダーと共にトルマリン鉱石パウダーを含有させる。【特許請求の範囲】
【請求項１】
ヘルメットを構成する部材の少なくとも一つに、放射線を放出するウラン系列核種及び／又はトリウム系列核種を含むセラミックパウダーを含有させたことを特徴とする自立防臭機能付きヘルメット。
【請求項２】
前記セラミックパウダーに、トルマリン鉱石のパウダーが添加されていることを特徴とする請求項１に記載の自立防臭機能付きヘルメット。
【請求項３】
前記セラミックパウダーがヘルメット本体若しくは付属部品に塗布される塗料に含有されていることを特徴とする請求項１又は請求項２に記載の自立防臭機能付きヘルメット。
【請求項４】
前記セラミックパウダーが、塗料に対して重量比で、０．５％〜３０％含有されていることを特徴とする請求項３に記載の自立防臭機能付きヘルメット。
【請求項５】
前記セラミックパウダーがヘルメット本体若しくは付属部品を成型する合成樹脂に含有されていることを特徴とする請求項１又は請求項２に記載の自立防臭機能付きヘルメット。
【請求項６】
前記セラミックパウダーが、合成樹脂に対して重量比で、０．５％〜３０％含有されていることを特徴とする請求項５に記載の自立防臭機能付きヘルメット。
【請求項７】
前記セラミックパウダーが、ヘルメット付属部品に保持されていることを特徴とする請求項１又は請求項２に記載の自立防臭機能付きヘルメット。
【請求項８】
前記付属部品が、ハンモック、ヘッドバンド、衝撃吸収ライナー、あごひも、環ひもの少なくとも一つであることを特徴とする請求項３から７のいずれかに記載の自立防臭機能付きヘルメット。
【請求項９】
ヘルメット本体とヘルメット付属部品を備える自立防臭機能付きヘルメットであって、
前記ヘルメット本体の内面、またはハンモック、ヘッドバンド、衝撃吸収ライナー、あごひも、環ひもからなる群より少なくとも１つ選択されたヘルメット付属部品に、放射線を放出するウラン系列核種及び／又はトリウム系列核種を含むセラミックパウダーが含浸または付着された紙又は布が張り付けられてなる自立防臭機能付きヘルメット。
【請求項１０】
前記紙または布には、前記セラミックパウダーに加え、トルマリン鉱石のパウダーが含浸または付着されている、請求項９に記載の自立防臭機能付きヘルメット。
【発明の詳細な説明】
【技術分野】
【０００１】
本発明は、ヘルメットに関し、詳しくはヘルメット内側の汚れに起因する臭いを自立的に消去し得るヘルメット構成に関する。
【背景技術】
【０００２】
産業用や通学用等の一般的用途で使用されるヘルメットは、ＦＲＰ（ガラス繊維強化ポリエステル樹脂）や熱可塑性樹脂（ＡＢＳ，ＰＣ，ＰＥ，ＰＰ等）などの合成樹脂を用いて作製されている。こうした一般用途用のヘルメットにおいては、耐衝撃性や頭部防護性などのヘルメット本来の機能に加え、抵抗感なく気軽に使用できる簡便性や長期にわたって快適に使用することができる快適使用性が重要な要件となる。
【０００３】
然るに、ヘルメットは、頭部を覆うものであり、人が活発に活動している時に使用されるものであるので、その内部は不可避的に温度が上昇する。このため、頭部から発散される汗や体臭が染み付き、特にヘルメットを日中に屋外で使用する場合には、日射によりその内部が高温になり発汗量が増えるので汚れが大きくなる。また、粉塵等の多い場所での使用であると、汗と粉塵が混ざったものがヘルメット内に染み付く。更に、毎日繰り返し使用する学童通学用のヘルメットにおいては、土埃と汗により徐徐にヘルメット内が汚れるが、このようにしてヘルメット内に汗や体臭が混ざった汚れが蓄積されると、これが微生物により分解されて悪臭や異臭を発するようになる。この悪臭や異臭はヘルメットの繰り返し使用における快適性を著しく害する。また、ヘルメットに染み付いた体臭は他者に不快感を与えるため、ヘルメットを共同使用する際の障害となる。
【０００４】
このような問題を解決する手段として、従来より種々の提案がなされており、例えばヘルメット内側にクッションを兼ねる断熱材を配置するとか、ヘルメットに通気孔を設けて熱放散を良くするとか、更にはヘルメット内に換気用のファンを設け強制的に換気を行う等により発汗を抑える技術が提案されている（特許文献１参照）。
【０００５】
【特許文献１】登録実用新案第３０１００６４号公報
【発明の開示】
【発明が解決しようとする課題】
【０００６】
しかしながら、ヘルメット内に断熱材を配置する手段やヘルメットに通気孔を設ける手段では、発汗を十分に抑制することができないことから、臭いの発生を十分には防止できない。また、ヘルメットに通気孔を設ける手段は、通気孔を多くすると効果が増す一方、ヘルメットの強度が低下するという問題がある。更に、ヘルメット内に換気用のファンを設け強制的に通気させる手段は、単に通気孔を設ける手段に比べ冷却効果が大きいが、換気用ファンや蓄電池の重量が加わるためヘルメットが重くなるとともに、価格上昇を招くという問題がある。
【０００７】
本発明は、このような事情に鑑み、断熱や空気循環による熱放散といった従来の手段とは異なる手段でもって、ヘルメット内の汚れや体臭、悪臭・異臭を簡便にかつ自立的に消去することのできるヘルメットを提供することを目的とする。
【課題を解決するための手段】
【０００８】
上記目的を達成するための、第一の発明に係るヘルメットは、ヘルメットを構成する部材の少なくとも一つに、放射線を放出するウラン系列核種及び／又はトリウム系列核種を含むセラミックパウダーを含有させたことを特徴とする。
【０００９】
この構成であると、放射線を放出するウラン系列核種等を含むセラミックパウダーの発する微弱な放射線（γ線）やマイナスイオンが微生物の増殖を抑制するので、汗等の汚れが腐敗することに原因する悪臭や異臭の発生を抑制できる。
【００１０】
上記本発明構成においては、前記セラミックパウダーに、トルマリン鉱石のパウダーが添加された構成とすることができる。
【００１１】
この構成であると、微弱な放射線自身が上記した効果（微生物の増殖抑制効果）を奏するとともに、放射線がトルマリン鉱石に作用してヘルメット内により多くのマイナスイオンを発生させる。このマイナスイオンは、ヘルメット内に汚れ成分が付着するのを抑制するとともに、汚れ成分を悪臭が発生しない物質にまで分解する。つまり、この構成によると、ヘルメット内部の洗浄を頻繁に行なわなくても、異臭・悪臭の発生が自立的に防止される。
【００１２】
上記本発明構成においては、前記セラミックパウダーがヘルメット本体若しくは付属部品に塗布される塗料に含有されている構成とすることができる。
【００１３】
この構成であると、簡易な手段でもって前記セラミックパウダーをヘルメットに保持させることができる。塗料に含有させる前記セラミックパウダーの量としては、塗料重量に対して、０．５％〜３０％、好ましくは１％〜１０％、より好ましくは２〜５％とする。前記セラミックパウダーの含有量が０．５％未満であると十分な効果が得られない一方、３０％を超えると塗装膜の強度が低下し剥がれ易くなるので好ましくない。２〜５％であると塗装膜の強度に殆ど影響を与えることなく、放射線を放出するウラン系列核種等を含むセラミックパウダーの添加効果を得られるので好ましい。
【００１４】
上記本発明構成においては、また、前記セラミックパウダーがヘルメット本体若しくは付属部品を成型する合成樹脂に含有されている構成とすることができる。
【００１５】
前記セラミックパウダーを合成樹脂に含有させるこの構成であると、生産効率が高いとともに、マイナスイオンを作用させるのに都合がよい。なぜなら、日中は人体からの発汗量が多くなり微生物活動も活発になるが、直射日光がヘルメット本体に直接当たりセラミックパウダーやトルマリン鉱石パウダーの温度を上昇させるので、マイナスイオンの発生量も多くなるゆえに、汗に起因する悪臭・異臭の発生が一層強力に抑制されるからである。
【００１６】
前記セラミックパウダー含有量としては、合成樹脂に対して重量百分率で、０．５％〜３０％、好ましくは１％〜１０％、より好ましくは２〜７％とする。前記セラミックパウダーの含有量が０．５％未満であると十分な効果が得られない一方、３０％を超えると樹脂成形物の強度が低下するので好ましくない。他方、２〜７％であると樹脂成形物の強度に殆ど影響を与えることなく、放射線を放出するウラン系列核種等を含むセラミックパウダーの添加効果が十分に得られる。
【００１７】
上記本発明構成においては、また、前記セラミックパウダーがヘルメットの付属部品に保持された構成とすることができる。この構成であると、簡易な手段でもって自立的に悪臭を防止することのできる自立防臭機能付きヘルメットを実現することができる。
【００１８】
上記本発明構成においては、また、前記付属部品が、ハンモック、ヘッドバンド、衝撃吸収ライナー、あごひも、環ひもの少なくとも一つであるとする構成とすることができる。ハンモック等はヘルメットの一般的な付属部品であるので、特別な部材を配することなく、前記セラミックパウダーの作用効果を奏するヘルメットを実現することができる。
【００１９】
上記目的を達成するための第２の発明は、ヘルメット本体とヘルメット付属部品を備える自立防臭機能付きヘルメットであって、前記ヘルメット本体の内面、またはハンモック、ヘッドバンド、衝撃吸収ライナー、あごひも、環ひもからなる群より少なくとも１つ選択されたヘルメット付属部品に、放射線を放出するウラン系列核種及び／又はトリウム系列核種を含むセラミックパウダーが含浸または付着された紙又は布が張り付けられてなる自立防臭機能付きヘルメットであることを特徴とする。
【００２０】
この第２の発明構成においては、放射線を放出するウラン系列核種及び／又はトリウム系列核種を含むセラミックパウダーが付着等された紙または布をヘルメット本体内側等に貼着するという極めて簡易な手段でもって、自立防臭機能付きヘルメットを実現することができ、この手段であると、ヘルメット本体の強度を全く損なうことがない。
【００２１】
上記第２の発明構成においては、前記セラミックパウダーに加え、トルマリン鉱石のパウダーが含浸または付着された紙または布を用いることができる。
【００２２】
この構成であると、セラミックパウダーと、ウラン系列核種及び／又はトリウム系列核種との相乗作用により、異臭・悪臭の発生が一層確実に防止される。
【発明の効果】
【００２３】
放射線を放出するウラン系列核種及び／又はトリウム系列核種を含むセラミックパウダーを用いる本発明によると、放射性物質から放射されるγ線によりヘルメット内の微生物の繁殖が抑制される。また、このようなセラミックパウダーとトルマリン鉱石粉末とを併用する本発明によると、放射性物質から放射されるγ線によりヘルメット内の微生物の繁殖が抑制されるとともに、γ線がトルマリン鉱石に作用してヘルメット内部の空気のマイナスイオン化を促進する。ヘルメット内で発生したこのマイナスイオンは、悪臭・異臭の原因物質を自立的に分解するので、この発明によると、γ線による微生物繁殖の抑制効果とマイナスイオンの作用効果とが相まって、悪臭・異臭の発生を防止し得た自立防臭機能付きヘルメットを実現することができる。このヘルメットは、長期にわたって快適に繰り返し使用できる。
【発明を実施するための最良の形態】
【００２４】
以下、本発明の実施の形態について説明する。本発明にかかるヘルメットには、工事現場用、建築現場用、消防用、高圧線作業用等の産業用ヘルメット、乗車用ヘルメット、更には、児童の通学用の安全帽としてのヘルメット、野球用、登山用、レジャー用等の種々の用途で使用されるヘルメットが含まれる。
【００２５】
本発明ヘルメットで使用する放射線を放出するウラン系列核種及び／又はトリウム系列核種を含むセラミックパウダーとしては、これらの核種を含む天然鉱物のパウダーであって、当然のことであるが、核種の濃度が核原料物質、核燃料物質及び原子炉の規定に関する法律に定められた濃度以下のものを用いる。
【００２６】
具体的には、放射能濃度を重量比に換算した際の個体状の核原料物質に含まれる濃度が、ウランにあっては、１．４％、トリウムにあっては４．６％以下のものを用いる。また、取扱の量的規制は、ウランにあっては３００ｇ、トリウムにあっては９００ｇとされているので、これ以下の量が用いられる。なお、本発明ヘルメットにおける使用量はこれらよりも遙かに微量で十分である。
【００２７】
前記セラミックパウダーには、更にトルマリン鉱石のパウダーが添加されているのが好ましい。トルマリン鉱石のパウダーとしては、種々の目的で生産された既成品が存在するので、こうしたパウダーを用いれば良い。トルマリン鉱石は、電気の発生によって空気のマイナスイオン化に寄与するものであり、上述の放射性物質の如き種々の規制は存在しないので、適宜の量を使用して良い。
【００２８】
上述のセラミックパウダーはヘルメットに塗布される塗料に含有させることができ、この方法においては、通常使用される油性塗料にパウダーをそのまま所要量攪拌混合させて用いればよい。こうした塗料は、ヘルメットの外面に塗布されるものの他、本発明の目的を達成するには、ヘルメットの内面に塗布することが効果的であるので、着色目的の塗料のみならず、透明な上塗り層や透明なフィルム形成用塗料等に混入して用いることもできる。
【００２９】
また、前記セラミックパウダーはヘルメットを成型する合成樹脂に含有させることができるが、ヘルメットは、通常、ＦＲＰ製、熱可塑性樹脂製（ＡＢＳ，ＰＣ，ＰＥ，ＰＰ等）で成型されているところから、こうした樹脂に所要量を混入してから成型を行なえばよい。この場合、成形方法については特段の制約はない。
【００３０】
更に、上述のセラミックパウダーは、ハンモック、ヘッドバンド、衝撃吸収ライナー、あごひも、環ひも等のヘルメットの付属部品に保持させることができ、この方法としては、これらの付属部品を構成する素材に応じて、例えばハンモック、ヘッドバンド等の繊維素材については、繊維素材そのものにセラミックパウダーを結着剤等で結着させ、またセラミックパウダーを染色剤や着色剤に含めて染色時に繊維素材に含浸させる等する。また、発泡スチロール等からなる衝撃吸収ライナーについては、その成型時に練成等する。
【００３１】
また、ヘルメットの内側で着用する紙帽子、汗取りパッド、更には、外側で使用する防暑たれ、標識バンド、防寒たれおおい、暴風たれおおい等についても、同様の手段でもって上記セラミックパウダーを保持させることができる。
【００３２】
前記セラミックパウダーの使用量については、通常、ヘルメットに塗布される塗料に対して重量比で、０．５％〜３０％含有させ、ヘルメットを構成する合成樹脂に対しても、重量比で、０．５％〜３０％含有させる。但し、この範囲に限られるものではなく、セラミックパウダーの使用量については、塗料の結着性、セラミックパウダーと塗料の相性、セラミックの放射線強度、形状、粒径等、或いは合成樹脂の粘度、強度、成型性等の特性に合わせて適正に設定するのが好ましい。  
【実施例】
【００３３】
以下、本発明にかかるヘルメットの好適な実施例について説明する。
（実施例１）
実施例１では、ヘルメットの表面（外面、内面）に塗着する塗料に放射線を放出するウラン系列核種及び／又はトリウム系列核種を含むセラミックパウダーを混合する場合について説明する。
顔料を含むアクリル樹脂系塗料をうすめ液に溶解し、これに放射線を放出するウラン系列核種等を含むセラミックパウダー（平均粒径１０μm）を前記塗料に対して２重量％（塗料１００に対して２）の割合で添加し、セラミックパウダー含有塗料溶液を作成した。この塗料溶液をＡＢＳ樹脂を押出成形したヘルメット本体の表裏面に５０μmの厚みに塗布した。この場合におけるセラミックパウダーの保持量は６ｇ／ヘルメット本体（約２７５ｇ）であった。
【００３４】
上記アクリル樹脂系塗料としては、大橋化学（株）製のポリナール＃５００（商品名）を用い、うすめ液としては市販シンナーを用いた。
【００３５】
上記で使用した放射線を放出するウラン系列核種等を含むセラミックパウダーの主要成分は次のようである。ＺｒＯ2はｍａｓｓ％で４５．０であり、そのＸ線強度が２１５６．４６（kcps）である。ＳｉＯ2はｍａｓｓ％で３９．０であり、そのＸ線強度が６４６．４（kcps）である。Ｘ線強度が高いその他のものを挙げると、Ａｌ2Ｏ3が４０．３（kcps）で、そのｍａｓｓ％が２．２であり、Ｐ2Ｏ5が５２．５（kcps）で、そのｍａｓｓ％が１．８６であり、ＨｆＯ2が５０．９（kcps）で、そのｍａｓｓ％が１．８４であり、Ｙ2Ｏ3が１０６．２（kcps）で、そのｍａｓｓ％が０．３６である。また、更に１５％程度のレア―酸化物が含まれている。
【００３６】
上記セラミックパウダーに含まれる放射性物質について、マルチチャンネル波高分析器によるγ線スペクトル測定を行なったところ、次の如くであった。ウラン系列核種は、親核種２３６Ｕの娘核種である２２６Ｒａ、１１４Ｐｂ，１１４Ｂｉからのγ線を検出し、トリウム系列核種は、親核種２３２Ｔｈの娘核種である１２０Ａｃ、２１２Ｐｂ，２１２Ｂｉ、２０６Ｔｌからのγ線が検出された。そして、このセラミックパウダー２０ｋｇの袋入り状態（樹脂フィルム）で、外部放射線量を検出したところ、０．５ｍでは、１．２μＳｖ／ｈ，１．０ｍでは０．４μＳｖ／ｈであり、２．０ｍでは０．１μＳｖ／ｈであった。
【００３７】
（実施例２）
実施例２では、ヘルメットの表面（外面、内面）に塗着する塗料に、放射線を放出するウラン系列核種等を含むセラミックパウダーとトルマリン鉱石パウダーとを混合する場合について説明する。
セラミックパウダーは上記実施例１と同様なものを用い、トルマリン鉱石パウダーとしては、平均粒径８μmのものを用いた。そして、両者を重量比で５０：５０で混合した混合末を、実施例１と同様なアクリル顔料に対して３重量％添加して混合分散し、これをヘルメット本体の表裏面に塗布した。塗膜の厚みは７０μmであり、この場合におけるセラミックパウダー及びトルマリン鉱石パウダーの保持量はそれぞれ２．８ｇ／ヘルメット本体（約２７５ｇ）であった。
なお、この他の事項については、前記実施例１と同様である。
【００３８】
（実施例３）
実施例３は、ヘルメット本体の成形材料である樹脂にセラミックスパウダーを混合してなるものである。
ＡＢＳ樹脂にセラミックスパウダーを重量比で４％添加し、更にパウダーの分散性を良くするために適量の流動パラフィンと加え、押出機を用いてセラミックパウダー配合ペレットを作製した。このペレットを射出成形機を用い、シリンダー温度を２５０℃に設定し、ヘルメット本体（帽体）を射出成形した。このヘルメット本体（約２８０ｇ）には、セラミックスパウダーが１０．８ｇ含まれている。
【００３９】
（実施例４）
実施例４は、放射線を放出するウラン系列核種等を含むセラミックスパウダーを紙の表面に島状に点在させてなるセラミックパウダー付着紙を、半径５０ｍｍの円形に切り抜きし、これを発泡スチロール製の衝撃吸収ライナーの外側天頂部分に粘着テープで張り付けた。他方、実施例１と同様なＡＢＣ樹脂製ヘルメット本体を用意し、この内側に上記衝撃吸収ライナーを挿入し、係止して実施例４にかかる自立防臭機能付きヘルメットを作製した。
【００４０】
上記セラミックパウダー付着紙を図１に示す。この付着紙は、紙の表面に直径４〜７ｍｍ程度の円形のセラミックパウダー領域が島状に点在されたものであり、紙１ｃｍ2当たりに約１５ｍｇのセラミックパウダーが付着されたものである。
【００４１】
（比較例１）
セラミックパウダー付着紙を張り付けてない発泡スチロール製の衝撃吸収ライナーを用いたこと以外は、上記実施例４と同様にして比較例１にかかるヘルメットを作製した。
【００４２】
以上で作製したヘルメットを屋外の土木作業現場において１日７時間×１か月間連続使用し、１ヶ月後におけるヘルメット内の臭いの程度を判定した。その結果、放射線を放出するウラン系列核種等を含むセラミックスパウダーおよびトルマリン鉱石パウダーの何れをも使用していない比較例１に比べ、実施例品は臭いの程度が小さかった。
【００４３】
【表１】
2005105498.tif 000002
１；弱い  ２；やや弱い    ３；強い
【００４４】
（その他の事項）
上記実施例１，２ではヘルメット本体の表裏面にセラミックパウダー含有の塗料を塗布したが、ヘルメット表面には通常の塗料を塗布し、裏面（ヘルメット内側の面）にのみセラミックパウダー等を含有させた塗料を塗布してもよい。
【００４５】
また、上記実施例４では、図１に示す上記セラミックパウダー付着紙を用いたが、これに限られるものではなく、紙に代えて布を用いたセラミックパウダー付着布などを用いることもできる。また、セラミックパウダーとともにトルマリン鉱石パウダーを付着させたものを用いるのも好ましい。更に、紙または布等の材質についても特段の制限はなく、長期間の使用に耐えることのできる耐摩耗性を有し、好ましくは耐水性、通気性を有するものを用いる。また、セラミックパウダー付着紙等は図１のような形状、仕様に限られるものではなく、例えば２枚の紙又は布の間にセラミックパウダーを挟み込んで張り合わせたもの、紙または布等の表面全体にセラミックパウダーを結着剤で貼着したもの等を用いることができる。
【産業上の利用可能性】
【００４６】
本発明は、人の頭部を保護するためのヘルメット一般に適用でき、例えば作業用ヘルメット、乗車用ヘルメット、学童、児童の自転車用安全帽としてのヘルメット等に好適に適用することができる。
【図面の簡単な説明】
【００４７】
【図１】放射線を放出するウラン系列核種及び／又はトリウム系列核種を含むセラミックパウダーが添着されたセラミックパウダー付着紙の平面図である。
【符号の説明】
【００４８】
１    紙
２    添着されたセラミックパウダー
【図１】
2005105498.tif 000003